(57)【要約】【課題】  芳香または防虫のための揮発性物質を放散させる火災警報器を得る。【解決手段】  火災現象に基づく環境変化を検出し出力する検出部と、該検出部の出力に基づいて警報の要否を判別する判別部と、該判別部からの火災出力を受けて警報を発する警報部と、を本体内に備えている火災警報器において、揮発手段から放散される揮発性物質が、芳香剤の場合、居室内の香りの出所として居住者に意識され、火災警報器の存在をアピールすることができる。そして、芳香剤の使用期限毎に火災警報器に触れて、同時に機能チェックを行うことができる。また、揮発性物質が防虫剤の場合には、火災検出の妨害をする虫が集まってくることを防止することができ、検出部の構造としても簡素化することが可能になる。【選択図】  図１
2005293306.tif 000002
【特許請求の範囲】
【請求項１】
火災現象に基づく環境変化を検出し出力する検出部と、該検出部の出力に基づいて警報の要否を判別する判別部と、該判別部からの火災出力を受けて警報を発する警報部と、を本体内に備えている火災警報器において、
さらに、前記本体から芳香または防虫のための揮発性物質を放散させる揮発手段が設けられていることを特徴とする火災警報器。
【請求項２】
揮発手段は、本体に形成される略円筒状の検出空間の平面部に、揮発性物質を浸透させたシートが挿入可能な隙間による保持部が形成され、該保持部内の前記シートから前記揮発性物質を徐々に前記本体から外部に放散させるものである請求項１の火災警報器。
【請求項３】
揮発手段は、本体内に配置された揮発性物質の貯蔵部と、該貯蔵部の揮発性物質を飛散させる電磁部と、からなり、前記本体に形成された検出空間を介して外部へ放散させるものである請求項１の火災警報器。
【発明の詳細な説明】
【技術分野】
【０００１】
この発明は、火災警報器に関し、とくに芳香機能あるいは防虫機能を有する火災警報器に関する。
【背景技術】
【０００２】
従来の火災警報器では、火災を判別するため、熱または煙等を検出しており、そのため、通常は住宅における天井面あるいは壁面のなるべく高いところに設置されている。そして、このような火災警報器には、警報のための部材としてブザーや音声警報用のスピーカなどが設けられていて、広く火災を知らせることができるようにされている。
【０００３】
従来の火災警報器として、壁面に取り付けられるとともに付加価値としてガス漏れ検知機能付きの住宅用火災警報器が知られている（例えば、特許文献１を参照）。
【特許文献１】特開２００２−２９８２４８号公報
【発明の開示】
【発明が解決しようとする課題】
【０００４】
このような火災警報器は、通常、家庭内で用いられる電気機器と比較した特徴として、常時稼動状態であること、居室内の高所に設置されること、日頃は目立たないことなどがあり、こういった特徴を有効に生かすことについての検討は進んでいない。こういった火災警報器は住宅への普及が期待されており、日頃に存在が感じられ、日常生活内で役立つことが検討されるべきである。
【０００５】
また、火災警報器として、とくに煙を検出する煙感知器のタイプでは、その検出部に小さな虫が入り込むことで、検出機能を妨害させられることがある。このため、通常は開口部分に細かな網が設けられているが、そういった網を設けるのは手間であった。
【０００６】
そのため、この発明では、芳香または防虫のための揮発性物質を放散させる火災警報器を得ることを目的としている。
【課題を解決するための手段】
【０００７】
この発明の請求項１に係る火災警報器は、火災現象に基づく環境変化を検出し出力する検出部と、該検出部の出力に基づいて警報の要否を判別する判別部と、該判別部からの火災出力を受けて警報を発する警報部と、を本体内に備えている火災警報器において、さらに、前記本体から芳香または防虫のための揮発性物質を放散させる揮発手段が設けられていることを特徴とするものである。
【０００８】
そして、この発明の請求項２に係る火災警報器は、揮発手段は、本体に形成される略円筒状の検出空間の平面部に、揮発性物質を浸透させたシートが挿入可能な隙間による保持部が形成され、該保持部内の前記シートから前記揮発性物質を徐々に前記本体から外部に放散させるものである。
【０００９】
また、この発明の請求項３に係る火災警報器は、揮発手段は、本体内に配置された揮発性物質の貯蔵部と、該貯蔵部の揮発性物質を飛散させる電磁部と、からなり、前記本体に形成された検出空間を介して外部へ放散させるものである。
【発明の効果】
【００１０】
請求項１に係る火災警報器では、揮発手段から放散される揮発性物質が、芳香剤の場合、居室内の香りの出所として居住者に意識され、火災警報器の存在をアピールすることができる。そして、芳香剤の使用期限毎に火災警報器に触れて、同時に機能チェックを行うことができる。また、揮発性物質が防虫剤の場合には、火災検出の妨害をする虫が集まってくることを防止することができ、検出部の構造としても簡素化することが可能になる。
【００１１】
そして、請求項２に係る火災警報器は、シートの保持部を設けることで、本体を大型化することなく、揮発性物質を保持でき、簡素な構造である。
【００１２】
また、請求項３に係る火災警報器は、電磁部によって揮発性物質を放散させ、自然放散よりも効果的で十分な量を放散することができる。
【発明を実施するための最良の形態】
【００１３】
実施形態１
図１は、本発明の一実施形態である火災警報器Ｓを示す断面図、図２および図３は、火災警報器Ｓの外観についての正面図および側面図である。
【００１４】
この実施形態１の火災警報器Ｓは、図１に示されているように、基台７２およびカバー７３からなる本体７４が、壁面の高所等に設置される。本体７４の内部には、プリント基板７６が配置され、スイッチ素子や音響部材、各種回路素子が配置されるが、図示を省略する。
【００１５】
まず、この火災警報器Ｓの本体７４は、その外観が図２および図３に示されるように、暗箱７７を外周を金網で覆われた煙流入口７８が形成されている。また、火災警報器Ｓの正面には、図示しないスイッチ素子をオン操作するための試験兼音響停止用の押ボタン７９、図示しないスピーカの位置に対応する音響口８０、さらに、火災検出時に点灯する火災表示灯８１が示されている。
【００１６】
この暗箱７７内には、火災として煙を検出するための発光素子４４および受光素子４５が配置されていて、これらは詳細に示さないが、互いに所定の角度をなして対向しないように配置されており、通常は、発光素子４４の光が受光素子４５に到達しないが、暗箱７７内に流入してきた煙粒子が存在すると、発光素子４４から発せられた光が煙粒子によって散乱してその散乱光が受光素子４５に到達する。これによって煙が検出できるように構成されている。
【００１７】
そして、この円筒形状の暗箱７７とカバー７３の中央部分の頂部との間には、隙間２が設けられ、そこにシート１が挿入されている。そして、隙間２の一方側にシート１を挿入するための挿入口３が開口されている。
【００１８】
このシート１には、揮発性物質が沁み込ませており、暗箱７７の頂部側中央部分が開放されているので、シート１から自然に揮発する揮発性物質は暗箱７７内に充満し、そして暗箱７７の外周に形成される煙流入口７８を逆に抜けて、火災警報器Ｓが設置される部屋内に放散される。
【００１９】
この揮発性物質が芳香剤の場合、壁面の高所等の位置に設置される火災警報器Ｓから放散された芳香剤は効率よく部屋内に行き渡り、芳香を作用させやすい。
【００２０】
また、この揮発性物質が防虫剤の場合、揮発した物質がまず暗箱７７内に広がり、そこから煙流入口７８を抜けて外へ広がるので、煙流入口７８から集中して防虫剤が放出されることとなり、煙流入口７８に対して虫が近付くことはない。
【００２１】
このような揮発性物質を沁み込ませたシート１では、自然に揮発させていることから、大量には発生しないが、長期にわたり使用することができる。そして、それでも必ず底をつくことから、定期的に交換する必要があり、利用者は時期を見て、シート１を交換するために、火災警報器Ｓに触れなければならない。
【００２２】
そして、通常は注目することがなくとも、この交換時期に合わせて、試験兼音響停止スイッチを操作して機能を確認したり、さらに、電池または商用電源の接続が確実に行われて作動しているかを確認することができる。
【００２３】
また、揮発性物質が芳香剤である場合、利用者が部屋における香りを感じることで、火災警報器Ｓの存在を意識することができ、存在が忘れられやすい火災警報器Ｓの印象を高めることができる。
【００２４】
このように、火災警報器Ｓは、火災現象に基づく環境変化を検出し出力する検出部としての発光素子４４および受光素子４５を備えた暗箱７７と、その出力に基づいて警報の要否を判別する図示しないマイコン等の判別部と、その出力を受けて警報を発する図示しないスピーカ等の警報部と、を本体７４内に備えており、本体７４から芳香または防虫のための揮発性物質を放散させる揮発手段としてのシート１が設けられているものである。
【００２５】
そして、火災警報器Ｓは、揮発手段は、本体７４内に略円筒状の検出空間を形成する暗箱７７とカバー７３の平面部との間に、揮発性物質を浸透させたシート１が挿入可能な隙間２による保持部が形成され、隙間２のシート１から前記揮発性物質を徐々に本体７４から、煙流入口７８を通して、外部に放散させるものである。
【００２６】
その結果、火災警報器Ｓでは、シート１から放散される揮発性物質が、芳香剤の場合、居室内の香りの出所として居住者に意識され、火災警報器Ｓの存在をアピールすることができる。そして、芳香剤の使用期限毎に火災警報器Ｓに触れて、目視確認するとともに、機能チェックを行うことができる。また、揮発性物質が防虫剤の場合には、火災検出の妨害をする虫が集まってくることを防止することができ、暗箱７７の構造としても簡素化することが可能になる。そして、火災警報器Ｓは、シート１を保持する隙間２を設けることで、本体７４を大型化することなく、揮発性物質を保持でき、簡素な構造である。
【００２７】
なお、火災警報器Ｓは、煙式でなく熱式等であってもよく、検出部としてサーミスタのような検出素子に虫を近付けなくでき、監視空間として、プロテクタに囲まれた熱を検出する空間であってもよい。そして、本体内部から検出素子や監視空間に揮発性物質が流出されればよい。
【００２８】
実施形態２
図４は、本発明の一実施形態である実施形態２の火災警報器Ｓａを示す断面図であり、この火災警報器Ｓａの外観については、上記実施形態１と同じであるので省略する。
【００２９】
この実施形態２の火災警報器Ｓａは、ほぼ上記実施形態１と同様の構成であるので、同一部材のものには同じ符号を付与して説明を省略し、その相違点を以下に説明する。
【００３０】
この火災警報器Ｓａの本体７４内には、上記実施形態１との相違点として、小さい容器である揮発性物質の貯蔵部６と、その貯蔵部６から浸透する芯材を介して揮発性物質を移動させ、高周波の発振によって積極的に揮発させる電磁部７が形成されている。
【００３１】
そして、電磁部７によって揮発させられた物質は、まず本体７４内に拡散して行くが、本体７４には大きな開口がなく、暗箱７７の底部側中央部分が開放されているとともに、プリント基板７６の対応する位置も同様に開放されているので、電磁部７から揮発する揮発性物質は暗箱７７内に充満し、そして、上記実施形態１と同様に、暗箱７７の外周に形成される煙流入口７８を逆に抜けて、火災警報器Ｓａが設置される部屋内に放散される。
【００３２】
この結果、上記実施形態１と同様に、揮発性物質が芳香剤の場合、壁面の高所等の位置に設置される火災警報器Ｓａから放散された芳香剤は効率よく部屋内に行き渡り、芳香を作用させやすい。また、揮発性物質が防虫剤の場合、揮発した物質がまず暗箱７７内に広がり、そこから煙流入口７８を抜けて外へ広がるので、煙流入口７８から集中して防虫剤が放出されることとなり、煙流入口７８に対して虫が近付くことはない。
【００３３】
このように、揮発性物質を貯蔵部６に保持することで、自然揮発よりも大量の物質を揮発させることができ、同時に、長期にわたり使用することができる。そして、実施形態１と同様、それでも必ず底をつくことから、定期的に交換する必要があり、利用者は時期を見て、シート１を交換するために、火災警報器Ｓに触れなければならない。
【００３４】
なお、この貯蔵部６内の内容量を外部から目視で確認できるようにすれば、効率よく揮発性物質を補充できる。さらに、貯蔵部６内の内容量を検出するセンサ部を形成して、底をつくときに軽微に警報を発するようにしておけば、補充を忘れることがない。同時に、火災警報器Ｓａの保守点検も忘れることがなくなるので、利用者にとって効果的である。
【００３５】
このように、火災警報器Ｓａは、火災現象に基づく環境変化を検出し出力する検出部としての発光素子４４および受光素子４５を備えた暗箱７７と、その出力に基づいて警報の要否を判別するマイコン等の判別部と、その出力を受けて警報を発する図示しないスピーカ等の警報部と、を本体７４内に備えており、本体７４から芳香または防虫のための揮発性物質を放散させる揮発手段としての貯蔵部６および電磁部７が設けられているものである。
【００３６】
そして、火災警報器Ｓは、揮発手段は、本体７４内に配置された貯蔵部６と、貯蔵部６の揮発性物質を飛散させる電磁部７と、からなり、本体７４に形成された検出空間を介して、煙流入口７８を通して、外部に放散させるものである。
【００３７】
その結果、火災警報器Ｓａでは、シート１から放散される揮発性物質が、芳香剤の場合、居室内の香りの出所として居住者に意識され、火災警報器Ｓの存在をアピールすることができる。そして、芳香剤の使用期限毎に火災警報器Ｓａに触れて、同時に機能チェックを行うことができる。また、揮発性物質が防虫剤の場合には、火災検出の妨害をする虫が集まってくることを防止することができ、暗箱７７の構造としても簡素化することが可能になる。そして、火災警報器Ｓａは、電磁部７によって揮発性物質を放散させ、自然放散よりも効果的で十分な量を放散することができる。
【００３８】
なお、揮発性物質を積極的に揮発させる手段として電磁部７の代わりに、加熱部等を用いてもよい。
【図面の簡単な説明】
【００３９】
【図１】この発明の実施形態１を示す断面図。
【図２】実施形態１の外観を示す正面図。
【図３】図２の側面図。
【図４】この発明の実施形態２を示す断面図。
【符号の説明】
【００４０】
１  シート
２  隙間
６  貯蔵部
７  電磁部
７４  本体
７７  暗箱
【図１】
2005293306.tif 000003
【図２】
2005293306.tif 000004
【図３】
2005293306.tif 000005
【図４】
2005293306.tif 000006